(57)【特許請求の範囲】
【請求項１】
容器（１０）を具備し、該容器（１０）が主長手軸心（Ａ）に沿って角柱状立体として延在して成る紙巻タバコ用パケットにおいて、
前記容器の一方の開放端部（１１）に枢着されて該容器（１０）が開かれる位置と該容器が閉じられる位置との間で回動可能な蓋部（１２）を具備し、
該紙巻タバコ用パケットは、連続して配置され前記主長手軸心（Ａ）に平行に延在する実質的に矩形の側面（５、６、７）によって画成される実質的に三角形断面を呈し、
紙巻たばこの外径に一致する曲率半径を有する少なくとも２つの丸み付け角縁部（３３、３４、３５）を有することを特徴とする紙巻タバコ用枢着蓋部付きパケット。
【請求項２】
前記断面は正三角形輪郭である、請求項１記載のパケット。
【請求項３】
前記断面は二等辺三角形輪郭である、請求項１記載のパケット。
【請求項４】
前記断面は直角三角形輪郭である、請求項１記載のパケット。
【請求項５】
実質的に矩形形状を呈する包装材料の平坦打抜き素材（３７）であって、
相互に平行に配設された３個の事前折目形成折畳領域（３８）であって、パケットの前部（１８）と一致する２枚のパネル（３９）と、背部（１７）と一致する１枚のパネル（４０）と、１枚の接続パネル（４１）とを画成する３個の事前折目形成折畳領域（３８）と、
上記３個の事前折目形成折畳領域（３８）と交差すると共に前記容器（１０）の開放端部（１１）と一致する横方向Ｖ形状カット（４２）であって、該横方向Ｖ形状カット（４２）により一方の上記容器（１０）の前壁（１４）は他方の前記蓋部（１２）の前壁（１６）から分離される横方向Ｖ形状カット（４２）、ならびに、各事前折目形成領域（３８）に対して横方向に配設されて上記蓋部（１２）に対するヒンジ（１９）として機能すべく上記Ｖ形状カット（４２）の各端部から夫々延在する２個の折目線（４４）と、
２つの実質的に三角形の翼部（４５、４６）であってその一辺に沿って関連折目線（４７）によって上記素材（３７）へ接合されると共にパケット（１）の頂部（８）および底部（９）と夫々一致する２つの実質的に三角形の翼部（４５、４６）と、
を呈する素材（３７）、
から作製された少なくともひとつの外側包装材（３６）を備える、請求項１乃至４のいずれか一項に記載のパケット。
【請求項６】
前記翼部（４５、４６）は、前記素材（３７）に取付けられた前記辺に隣接する該翼部の未結合辺から延在する関連フラップ（４９、４８）の組を備え、
一方の翼部（４６）のフラップ（４８）は、前記パネル（３９、４０、４１）の内の２枚のパネルに対して接続可能に組合されて直立されたパケットの前記底部を作製し、且つ、
他方の翼部（４５）のフラップ（４９）は、前記蓋部（１２）の前記前壁（１６）を構成する上記パネル（３９、４０、４１）に対して接続可能に組合さることで前記頂部（８）を作製する、
請求項５記載のパケット。
【請求項７】
パケットの頂部（８）に一致する前記翼部（４５）の前記フラップ（４９）は、３個の辺（５１、５２、５３）を備えた自由縁部（５０）から成る所定周縁輪郭を呈し、且つ、
前記事前折目形成折畳領域（３８）および前記Ｖ形状カット（４２）のいずれとも重なり合わない様に、前記蓋部（１２）の前記前壁（１６）を構成する２枚のパネル（３９）の一方の対応部分に対して提供される、
請求項６載のパケット。
【請求項８】
当該パケットの前記底部（９）と一致する前記翼部（４６）のフラップ（４８）は、所定周縁輪郭を呈し、且つ、
前記事前折目形成折畳領域（３８）と重なり合うことなく前記各パネル（３９）の一方の対応部分に対して提供される、
請求項６記載のパケット。
【請求項９】
前記事前折目形成折畳領域（３８）は少なくとも一本の折目線（５４）を備える、請求項５乃至８のいずれか一項に記載のパケット。
【請求項１０】
前記事前折目形成折畳領域（３８）は、第１所定距離だけ相互に離間して設定されて相互に平行な少なくとも二本の折目線（５５）を備える、請求項５乃至８のいずれか一項に記載のパケット。
【請求項１１】
前記事前折目形成折畳領域（３８）は、第２所定距離だけ相互に離間して設定されて相互に平行な複数の折目線（５６）を備える、請求項５乃至８のいずれか一項に記載のパケット。
【請求項１２】
前記容器（１０）に組合せられると共に閉じ位置に在るときに前記蓋部（１２）に係合すべく設計された強化フレーム（２２）を備えた請求項５乃至１１のいずれか一項に記載のパケットであって、
上記フレーム（２２）は、該フレーム（２２）の前部（２４）に一致する二枚のパネル（６０）を分割する少なくともひとつの中央事前折目形成折畳領域（５８）を備えた包装材料の素材（５７）から作製されると共に、該フレーム（２２）は、該フレーム（２２）が上記容器（１０）の開放頂端部（１１）から部分的に突出する如き様式でパケットの前部（１８）に一致する前記素材（３７）の二枚のパネル（３９）の内側表面に部分的に繋止される、パケット。
【請求項１３】
前記容器（１０）の前記開放頂端部（１１）から突出する前記フレーム（２２）の縁部（６２）は、前記素材（３７）の前記Ｖ形状カット（４２）により画成される上記容器（１０）の上記開放頂端部（１１）に対して実質的に平行に延在するＶ形状を呈する、請求項５または７に記載のパケット。
【請求項１４】
前記フレーム（２２）は２個の更なる側部事前折目形成折畳領域（５９）を備え、
該領域（５９）は、パケット（１）の背部（１７）に一致する前記素材（３７）のパネル（４０）により呈される内側表面に対して上記フレーム（２２）が少なくとも部分的に繋止され得る如き様式にて、前記中央事前折目形成折畳領域（５８）と平行に且つ該領域の各側に夫々配設される、請求項１２または１３のいずれか一項に記載のパケット。
【請求項１５】
前記蓋部（１２）を閉じ位置に保持する保持手段（６６）であって、前記フレーム（２２）と上記蓋部（１２）の内面との間で作用する係合手段（６７、６９、７０、７１、７２）として具現される保持手段（６６）を備える、請求項１２乃至１４のいずれか一項に記載のパケット。
【請求項１６】
前記係合手段は、前記フレーム（２２）を構成する前記包装材料の素材（５７）の前記中央事前折目形成折畳領域（５８）に沿って関連カット（６８）を作成することで得られた一対のタブ（６７）であって、前記蓋部（１２）の内面と干渉すべく位置された一対のタブ（６７）から成る、請求項１５記載のパケット。
【請求項１７】
前記係合手段は、前記フレーム（２２）により呈されるブレスト片（２４）の一方の面（２３）の縁部（６２）に枢動的に結合された少なくとも一個のタブ（７１）から成り、該タブの自由縁部は前記蓋部（１２）の内面により与えられるスロット（７２）内に位置する、請求項１５記載のパケット。
【請求項１８】
前記係合手段は、前記中央事前折目形成折畳領域（５８）に一致する箇所にて前記フレーム（２２）により呈されるブレスト片（２４）の前記縁部（６２）に枢動的に結合されたタブ（６９）から成り、該タブの自由縁部は前記蓋部（１２）の内面により与えられたスロット（７０）内に位置する、請求項１３記載のパケット。
【請求項１９】
包装材料の薄片（７３）から作製されてパケット（１）の内側に収容された紙巻タバコ（３）の一群（２）を包む内側包装材（４）であって、パケット（１）の該内側包装材（４）を封切りするときに除去され得るキャップ（７５）を画成する役割を果たす横方向ミシン目ライン（７４）を呈する内側包装材（４）を更に備えて成る、請求項１記載のパケット。
【請求項２０】
少なくとも一枚の外側包装材（３６）と、閉じ位置に在るときに前記蓋部（１２）と係合すべく前記容器（１０）に結合されたフレーム（２２）とを備えた請求項５または７に記載のパケットであって、
上記外側包装材（３６）および上記フレーム（２２）は、実質的に矩形の輪郭の平坦打抜き素材（８１）であって６枚の対応パネルを分離する少なくとも５個の事前折目形成折畳領域（８２）を呈する平坦打抜き素材（８１）から作製され、
上記６枚の対応パネルは、パケット（１）の背部（１７）と一致する第１端部パネル（８３）、パケット（１）の前部（１８）と一致する第２および第３パネル（８４、８５）、第４接続パネル（８６）、および、上記事前折目形成領域（８２）に対して横方向に延在する２個の対応最外縁部（８９）が上記フレーム（２２）として機能する如き様式で上記第２および第３パネル（８４、８５）の内面に夫々接触して突き当たるべく位置された第５および第６パネル（８７、８８）であり、
上記第１端部パネル（８３）は、上記蓋部（１２）の前記ヒンジ（１９）と一致するが故に上記蓋部（１２）の後壁（１５）から上記容器（１０）の後壁（１３）を分離する横方向折目線（９０）を呈し、
上記第２および第３パネル（８４、８５）は、上記蓋部（１２）の前記前壁（１６）から上記容器（１０）の前記前壁（１４）を分離する横方向Ｖ形状カット（９１）を呈し、
上記第１端部パネルおよび前記第２および第３パネル（８３、８４、８５）は夫々の各縁部に沿って枢動的に結合された対応フラップ（９３、９４、９５）を備え、
これらのフラップの内、少なくとも、一枚のパネルに接合された各フラップ（９３）は、本質的に三角形輪郭を呈すると共に、上記パケット（１）の前記頂部（８）および前記底部（９）と一致する、
パケット。
【請求項２１】
容器（１０）と、該容器の一方の開放端部（１１）に枢着されて該容器（１０）が開かれる位置と該容器が閉じられる位置との間で回動可能な蓋部（１２）とを具備し、前記容器（１０）が主長手軸心（Ｂ）に沿って角柱状立体として延在して成る紙巻タバコ用パックにおいて、
該紙巻タバコ用パックは実質的に三角形断面を呈し、請求項１乃至１９のいずれか一項に記載のパケットを複数個収容することを特徴とする、紙巻タバコ用パック。
【発明の詳細な説明】
【０００１】
技術分野
本発明は、紙巻タバコ用枢着蓋部付き剛性パケットおよび複数の該パケットを収容する紙巻タバコ用パックに関する。
【０００３】
背景技術
一般的に枢着蓋部(hinged lid)を備えた上記形式の紙巻タバコ用剛性パケット(rigid cigarette packets)は矩形の平行六面体形状であり、当該容器の開放頂端部に枢着されるが故に該容器が開閉される各位置間で回動可能とされた蓋部を担持する容器のような外観をしている。
【０００４】
この容器は内側包装材(inner wrapper)内に包まれた一群の紙巻タバコを保持すべく設計されると共に、複数のパケットは紙巻タバコ用パック内に収容される。
【０００５】
而して容器および蓋部は両者ともに前面および後面ならびに２個の側面を呈すると共に、夫々の端面は当該パケットの底部および頂部と一致する。
【０００６】
上記パケットは更に、ブレスト片(breast piece)と該ブレスト片に枢着された２個の側部片(side piece)とから成る内側強化フレームを備え、該フレームは部分的に容器内に配設されると共に、ブレスト片は容器の前面に対応する前側パネルに対して繋止され且つ各側部片は容器の側面に対応する２枚の側部パネルに対して夫々繋止される。閉じ位置における蓋部の正確で安定な保持は、各側部片とブレスト片とを接合する折目線に沿って行われる関連カットにより形成される一対のタブであって、蓋部が閉じられたときに該蓋部の側面の内側に干渉する様式でブレスト片の各側に夫々突出する一対のタブを組込むことにより改善される。
【０００７】
上述の形式の剛性パケットは実質的に矩形の輪郭を有する平坦打抜き素材から作製されるのが通常であり、該素材は、容器の前面に一致する第1大寸端部パネルと、底部に一致する第1小寸中間パネルと、容器の後面に一致する第2大寸パネルと、蓋部の後面に一致する第2小寸中間パネルと、頂部に一致する更なる小寸中間パネルと、蓋部の前面に一致する第3大寸パネルと、蓋部を強化する役割を果たす端部パネルとを生成すべく位置された横方向折目線を備える。
【０００８】
上記素材は縦方向折目線も呈するが、上記素材が折畳まれてパケットが組み立てられたときに当該各フラップ対が組合されることで各側面と各端面に対する強化用折畳部とを形成する如き様式で、上記縦方向折目線に沿って各フラップ対が上記パネルに対して夫々枢着される。
【０００９】
上記容器および蓋部の両者の前面および後面を与えるパネルの横方向寸法は側面を構成するフラップの横方向寸法より大きい傾向があることから、パケットはやや平坦な平行六面体の幾何学形状を呈する。
【００１０】
一方の寸法が他方の寸法よりも相当に大きいという矩形断面により代表されるパケットが遭遇する欠点のひとつは、パケットから少しずつ紙巻タバコを取り出していくと内部に残された紙巻タバコは大きい方の横方向寸法において相当の移動自由度を得るという効果があることから、束が乱れる傾向となり、各紙巻タバコは相互に衝突して相当量の刻みタバコ充填物が紙巻タバコの尖端から喪失されるということである。
【００１１】
平坦な平行六面体の幾何学形状のパケットから直接的に由来する別の欠点は、パケット内に残存する紙巻タバコは自然に側方に倒れ、パケットの長手軸心に関しては傾斜し且つ前面および後面の対角線に対しては実質的に平行に位置する傾向があることから、全本数で組立てられたときの束の正しい位置は失われる。側面の横方向寸法が比較的に小寸であることと組合されたこの欠点によれば喫煙者は残存する紙巻タバコを捕捉することが特に困難となり、その結果、紙巻タバコは更に損傷されて屈曲され、完全に破損されることさえある。
【００１２】
本発明の目的は、上記の欠点により影響されないパケットを提供するにある。
【００１３】
本発明の更なる目的は、本発明に従い具現されたパケットを収容する如きパックを提供するに在る。
【００１４】
発明の開示
本発明に依れば上述の目的は、容器と、該容器の一方の開放端部に枢着されるが故に該容器が開かれる位置と該容器が閉じられる位置との間で回動可能な蓋部とを有する枢着蓋部付き剛性パケットであって、前記パックが主長手軸心Aに沿って角柱状立体として延在していて、それが実質的に三角形断面を呈することを特徴とする剛性パケットにより実現される。
【００１５】
以下においては添付図面を参照して本発明が例示的に詳述される。
【００１６】
添付図面の図１乃至図４および図１９を参照すると、1は紙巻タバコ用剛性パケットの全体を示しており、より詳細にはそれは図１１、図１２、図１３および図１８に見られる紙巻タバコ3の束2を収納すべく設計された枢着蓋部付きの剛性パケットの全体を表している。図１４に示された如く束2は、関連包装材料から作成された内側包装材4により包まれてパケット1の内側に収容される。
【００１７】
単一のパケット1は実質的に三角形断面の角柱状立体(prismatic solid)として見える外側包装材36を備えることから、連続して配設された実質的に矩形の３個の側面5、6および7であって主長手軸心Aに対して平行に延在する側面5、6および7と、実質的に三角形である２個の端面8および9とを呈する。
【００１８】
パケット1は、図１４、図１５、図１６、図１７および図１８に示された如き開放頂端部11と、頂端部11が開放されるという図１２、図１４、図１５、図１６、図１７および図１８に示された開き位置と頂端部11が覆い隠されるという図１、図２、図３、図４および図１９に示された閉じ位置との間で回動すべく該容器10に枢着された蓋部12とを備える。
【００１９】
容器10は、三角柱のひとつの側面5に一致すべく13により表された後壁と、角柱の残る２個の側面6および7に一致すべく14により表された前壁とを呈する。同様に蓋部12は、閉じ位置の場合、角柱の一方の側面5に一致する後壁15と、角柱の残る２個の側面6および7に一致する前壁16とを呈する。
【００２０】
実際問題として、容器10の後壁13および蓋部12の後壁15は協働して単一パケット1の背部17を構成する一方、容器10の前壁14および蓋部12の前壁16は協働してパケットの前部18を構成する。
【００２１】
蓋部12は、パケットの背部17に対して横方向に載置された枢着線19であって容器10の後壁13から蓋部12の後壁15を分離する枢着線19に沿って容器10に取付けられる。
【００２２】
容器10の開放頂端部11は、角柱の軸心Aに関して傾斜する頂縁部20であって蓋部12により与えられる対応傾斜縁部21と接触係合すべく配設された頂縁部20により囲繞される。
【００２３】
最後に、剛性パケット1は容器10により与えられる開放頂端部11の縁部20を部分的に越えて突出する強化フレーム22を備え、該フレームの２個の面23はパケット1の前面6および7と実質的に同一の平面を占有すると共に、完成パケットにおいてフレーム22のブレスト片24として機能する。
【００２４】
フレーム22は、閉じ位置の場合に蓋部12が容器10上に安定的に保持されるための保持要素を提供する如く、容器10の前壁14の内面に繋止される。
【００２５】
図１の実施例において剛性パケット1の３個の面5、6および7は各鋭角的角縁部25に沿って接合されるが、図２の実施例において剛性パケット1の３個の面5、6および7は、その第1面27は２個の面6および7の間に介設されて前部18を構成し、その第2面28は5および6により表される各面間に介設され且つその第3面29は5および7により表される各面間に介設されるという３個の面27、28および29を呈する各鈍化角縁部26に沿って接合される。
【００２６】
図３および図１２の実施例において、パケット1の３個の面5、6および7は同様の３個の丸み付け角縁部30、31および32に沿って接合されるが、図４および図１３の実施例においてパケット1の３個の面5、6および7は異なる曲率半径を有する３個の丸み付け角縁部33、34および35に沿って接合され、より厳密には、２個の丸み付け縁部34および35は同一の曲率半径を呈するが２個の前面6および7の間に介設された丸み付け縁部33は残る２個の丸み付け角縁部34および35よりも大きな曲率半径を呈する。
【００２７】
図１９の実施例において、パケット1の前部18を構成する２個の面6および7は丸み付け角縁部31aに沿って接合される一方、角柱の後面5に一致するパケット1の背部13は、一方の面28aは5および6により表される各面間に介設され且つ他方の面29aは5および7により表される各面間に介設されるという２個の面28aおよび29aを画成する２個の鈍化角縁部26aに沿って２個の前面6および7に接合される。
【００２８】
図５、図７および図９を参照するとパケット1の外側包装材36は、パケット1の前部18を構成する２枚のパネル39と、パケット1の背部17に一致するパネル40と、最終的には背部パネル40の内側表面と接触すべく突き当てられる更なる接続パネル41とを分離すべく位置せしめられた相互に平行な３個の事前折目形成折畳領域38を呈する本質的に矩形の輪郭の平坦打抜き素材37から作製される。
【００２９】
素材37はまた、３個の事前折目形成折畳領域38と交差する横方向Ｖ形状カット42も呈し、より厳密には、一方の容器10の前壁14を他方の蓋部12の前壁16から分離すべく中央事前折目形成領域38へと収束する２個の傾斜辺43を呈する。横方向Ｖ形状カット42の２個の端部は、２個の対応パネル40および41を横断して横方向に延在する夫々の(仮想線により示された)折目線44であって蓋部12のヒンジ19として機能する折目線44に接合される。
【００３０】
パケット1の背部17に一致するパネル40には、各々が関連折目線47により該パネル40に接合された頂翼部45および底翼部46が結合される。２個の翼部45および46は夫々、パケット1の頂端面8すなわち頂部および底端面9すなわち底部と一致する。
【００３１】
底翼部46の２個の自由辺は夫々、容器10の前壁14に一致するパネル39の内面に繋止され得る如きフラップ48を担持し、底翼部46はパケット1の底部9を構成する。
【００３２】
頂翼部45の２個の自由辺は夫々、蓋部12の前壁16に一致するパネル39の内面に繋止され得る如きフラップ49を担持し、頂翼部45はパケット1の頂部8を構成する。
【００３３】
頂翼部45のフラップ49の周縁部は、蓋部12の前壁16の内面に繋止されたときにそれらの自由縁部50が事前折目形成領域38およびＶ形状カット42のいずれとも重なり合わない如き寸法比率とされる。
【００３４】
より厳密にはフラップ49の自由縁部50は３個の辺51、52および53を備え、その内の最初の２個51および52は夫々、パケット1が組み立てられたときに中央事前折目形成領域38とＶ形状カット42の辺43とに対して平行に延在する。
【００３５】
素材37が折畳まれて図１に示されたパケット1が生成される図５の実施例を参照すると事前折目形成折畳領域38は、完成されたパケット1において鋭角的角縁部25を生成する夫々の一重折目線54から成る。故に、頂部フラップ45および底部フラップ46の頂点は鋭角に見える。
【００３６】
素材37が折畳まれて図２のようなパケット1が生成されるという図７の実施例を参照すると、事前折目形成折畳領域38は各々、第1選択距離だけ離間された相互に平行な２本の折目線55から成る。故に頂部および底部フラップ45および46の頂点は截断（切頭）されて見える。
【００３７】
素材37が折畳まれて図３のようなパケット1が生成されるという図９の実施例を参照すると、事前折目形成折畳領域38は各々、相互に平行な複数の折目線56から成ることから、頂部および底部フラップ45および46の頂点は丸められて見える。
【００３８】
図４に示されたパケット1の場合、中央事前折目形成領域38の横方向寸法が２個の側部領域38より大きいという点においてのみ(不図示の)関連素材は図９の素材37と異なることから、図４および図１３から明確に認められる如く素材がパケットを形成すべく組み立てられたときに33により表される丸み付け角縁部は他の２個の丸み付け角縁部34および35より大きな曲率半径を呈する。
【００３９】
図１９に示されたパケット1の場合、丸み付け角縁部31aを生成すべく設計された形式の中央事前折目形成領域38を呈するという点において(不図示の)関連素材は図７の素材37と異なる一方、残りの２個の側部事前折目形成領域38は各々、図７に示された素材37と同様に第1選択距離だけ離間して設定されることで上述の鈍化角縁部26aを生成する相互に平行な一対の折目線55から成る。
【００４０】
図６、図８および図１０を参照するとフレーム22は、該フレーム22のブレスト片24に一致する２枚の関連パネル60を取り囲む中央事前折目形成折畳領域58および２個の側部事前折目形成領域59を呈する包装材料(wrapping material)の別体平坦素材57から作製される。組み立てられたパケット1において２枚のパネル60は、容器10の前壁14を構成する各パネル39の内側表面に夫々固定される。同様に、２個の側部事前折目形成領域59は、パケット1の背部17に一致する容器10の後壁13の内面に固定されるフレーム22の２枚の端部パネル61を生成する役割を果たす。特に素材57の２枚のパネル60は、相互に平行に配設されたＶ形状の２個の縁部62により取り囲まれる。
【００４１】
パケットを作製すべく用いられる素材37と同様に、図６に示されたフレーム22を作製すべく用いられて図５の素材と組合される素材57は一重折目線63から成る事前折目形成折畳領域58および59を呈する一方、図７の素材37と組合される図８の素材57は一対の折目線64から成る事前折目形成折畳領域58および59を呈する。
【００４２】
最後に、図９の素材37と組合される図１０の素材57は、各々が複数の折目線65から成る事前折目形成領域58および59を呈する。
【００４３】
図１４、図１５および図１６を参照するとパケット1は更に、蓋部12を閉じ位置に安定的に保持する役割を果たす保持手段66を備える。図１４の実施例において斯かる保持手段66は、図１０に示された如くフレーム22を構成する材料の素材57の中央事前折目形成折畳領域58に沿って達成された関連カット68により得られる一対のタブ67であって蓋部12の内面と干渉すべく位置された一対のタブ67として出現する。
【００４４】
図１５の実施例において保持手段66は、Ｖ形状の頂点に載置されたタブ69であってフレーム22の縁部62に枢動的に結合されたタブ69として出現し、該タブの自由縁部は蓋部12の内面により与えられるスロット70内に位置する。
【００４５】
図１６の場合に保持手段66は、一方の関連パネル60の縁部62に枢着されたタブ71であってフレーム22により与えられるタブ71として出現し、該タブの自由縁部は蓋部12の内面により与えられるスロット72内に位置する。
【００４６】
図１１を参照するとパケットの内側包装材4は、特に図１８から認められる如くパケット1および関連内側包装材4を封切りするときに喫煙者により除去され得るキャップ75を画成する如き様式で位置された横方向ミシン目ライン74を呈する(典型的には金属箔紙である)包装材料製の薄片73から作製される。
【００４７】
薄片73は先ず紙巻タバコ3の束2の回りに巻回されて筒体とされた後、図１４、図１５、図１６および図１７に見られる内側包装材4の頂端部面76と一致する該筒体の端部は図１４乃至図１７に示された如く連続して内方に屈曲されることで、上記頂端部面76を閉じるべく上下に重ねて平坦化される端部折畳部77、78、79および80を形成する。
【００４８】
図２０において認められる如くパケット1は、実質的に矩形形状に見える包装材料の平坦打抜き素材81であって連続して配置された６枚のパネルを分離する少なくとも５本の折目線82を呈する平坦打抜き素材81から組み立てられ得る。
【００４９】
更に厳密には、折目線82に対して横方向に延在する夫々の２つの最外縁部89がフレーム22の役割を果たす如き様式で、第1端部パネル83はパケット1の背部17と一致し、第2パネル84および第3パネル85はパケット1の前部18と一致し、第4パネル86は接続パネルであり、且つ、第5パネル87および第6パネル88は第2および第3パネル84および85の内面と夫々接触して突き当てられる。
【００５０】
第1パネル83はまた、ヒンジ19と一致する横方向折目線90であって蓋部12の後壁15から容器10の後壁13を分離する横方向折目線90も呈する。
【００５１】
第2および第3パネル84および85は横方向Ｖ形状カット91を呈するが、該カット91は３本の対応折目線82と交差すると共に更に厳密には中央折目線82へと収束する２つの傾斜辺92から成り、該傾斜辺92により一方の容器10の前壁14は他方の蓋部12の前壁16から分離される。
【００５２】
素材81はまた、第1、第2および第3パネル83、84および85の夫々の各縁部に沿って枢動的に結合されたフラップ93、94および95も備え、少なくとも、第1パネル83に接合された各フラップ93は本質的に正三角形であると共にパケット1の頂部8および底部9に夫々一致するが、第2および第3パネル84および85に対して夫々枢着されたフラップ94および95は本質的に不等辺三角形輪郭を呈すると共に94aおよび95aで表された２つの隣接辺が所定角度で収束すべく配設される。
【００５３】
組み立てられたパケット1において、２個の小寸のフラップ94および95は重なり合うのではなく隣接する２個の辺94aおよび95aを実質的に接触当接して配設し乍ら大寸フラップ93の内側面に突き当てられることから、フラップ94および95は対応するフラップ93と組合さることでパケット1の頂部8および底部9を確立する。
【００５４】
パケット1の三角形断面は正三角形、二等辺三角形または直角三角形であり得ると共に、いずれが選択されるかに関わりなくパケット1の頂部および底部における２個の端面8および9は同一の三角形輪郭を呈することは理解される。
【００５５】
また、図３のパケットに関する図１２の実施例において紙巻タバコ3の束2は４層の深さであるが、図４のパケットに関する図１３の実施例において２個の前面6および7間の丸み付け角縁部33は残る２個の丸み付け角縁部34および35よりも広い曲率半径を呈することで３層のみの深さの紙巻タバコ3の束を許容している。
【００５６】
図２１の実施例において100はパック101を示し、その外側形状は図１に示されたパケット1の外側形状と同一であると共に、特に図１のパケットを夫々が９個含む２つの群105および106であって大箱101の長手軸心Bと整列して上下に重ねられた２つの群105および106を収容すべく設計される。
【００５７】
図２２の実施例においてパック100は大箱102として出現し、その外側形状は図２に示されたパケット1の外側形状と同一であると共に、特に図２のパケットを夫々が９個含む２つの群105および106であって大箱102の長手軸心Bと整列して上下に重ねられた２つの群105および106を収容すべく設計される。
【００５８】
図２３の実施例においてパック100は大箱103として出現し、その外側形状は図３に示されたパケット1の外側形状と同一であると共に、特に図３のパケットを夫々が９個含む２つの群105および106であって大箱103の長手軸心Bと整列して上下に重ねられた２つの群105および106を収容すべく設計される。
【００５９】
図２４の実施例においてパック100は大箱104として出現し、その外側形状は図４に示されたパケット1の外側形状と同一であると共に、特に図４のパケットを夫々が８個含む２つの群105および106であって大箱104の長手軸心Bと整列して上下に重ねられた２つの群105および106を収容すべく設計される。
【００６０】
大箱101、102、103および104は、図１乃至図４に示されたパケット1に対して既に記述された様式で、図５、図７、図８、図９、図１０および図２０に示された夫々の打抜き素材から作製される。
【図面の簡単な説明】
【図１】  図１は、本発明に係るパケットの実施例の概略斜視図である。
【図２】  図２は、本発明に係るパケットの実施例の概略斜視図である。
【図３】  図３は、本発明に係るパケットの実施例の概略斜視図である。
【図４】  図４は、本発明に係るパケットの実施例の概略斜視図である。
【図５】  図５は、図１に示されたパケットを作製する打抜き素材の平面図である。
【図６】  図６は、図１に示されたパケットを作製する打抜き素材の平面図である。
【図７】  図７は、図２に示されたパケットを作製する打抜き素材の平面図である。
【図８】  図８は、図２に示されたパケットを作製する打抜き素材の平面図である。
【図９】  図９は、図３に示されたパケットを作製する打抜き素材の平面図である。
【図１０】  図１０は、図３または図４に示されたパケットを作製する打抜き素材の平面図である。
【図１１】  図１１は、図１乃至図４に示されたパケットの内側包装材を作製する包装材料の薄片の平面図である。
【図１２】  図１２は、図１、図２、図３に示されたパケットの蓋部を開いて上方から見たパケットの概略的平面図である。
【図１３】  図１３は、図４に示されたパケットの蓋部を開いて上方から見たパケットの概略的平面図である。
【図１４】  図１４は、蓋部を開いて内側包装材の頂端部折畳部を構成する連続的段階のひとつにおける図３のパケットの概略的斜視図である。
【図１５】  図１５は、蓋部を開いて内側包装材の頂端部折畳部を構成する連続的段階のひとつにおける図３のパケットの概略的斜視図である。
【図１６】  図１６は、蓋部を開いて内側包装材の頂端部折畳部を構成する連続的段階のひとつにおける図３のパケットの概略的斜視図である。
【図１７】  図１７は、蓋部を開いて内側包装材の頂端部折畳部を構成する連続的段階のひとつにおける図３のパケットの概略的斜視図である。
【図１８】  図１８は、図１乃至図４のパケットのひとつを蓋部を開いて示すと共に内容物に対するアクセスを与えるべく端部折畳部が除去された内側包装材の一部を示すパケットの概略的側面図である。
【図１９】  図１９は、本発明に係るパケットの更なる実施例の概略的斜視図である。
【図２０】  図２０は、図１乃至図４および図１９のパケットを作製する打抜き素材の代替実施例の概略的平面図である。
【図２１】図２１は、図１に示されたパケットを収容すべく設計されたパックの実施例を示す図である。
【図２２】図２２は、図２に示されたパケットを収容すべく設計されたパックの実施例を示す図である。
【図２３】図２３は、図３に示されたパケットを収容すべく設計されたパックの実施例を示す図である。
【図２４】図２４は、図４に示されたパケットを収容すべく設計されたパックの実施例を示す図である。
【図１】
0004739629.tif 000002
【図２】
0004739629.tif 000003
【図３】
0004739629.tif 000004
【図４】
0004739629.tif 000005
【図５】
0004739629.tif 000006
【図６】
0004739629.tif 000007
【図７】
0004739629.tif 000008
【図８】
0004739629.tif 000009
【図９】
0004739629.tif 000010
【図１０】
0004739629.tif 000011
【図１１】
0004739629.tif 000012
【図１２】
0004739629.tif 000013
【図１３】
0004739629.tif 000014
【図１４】
0004739629.tif 000015
【図１５】
0004739629.tif 000016
【図１６】
0004739629.tif 000017
【図１７】
0004739629.tif 000018
【図１８】
0004739629.tif 000019
【図１９】
0004739629.tif 000020
【図２０】
0004739629.tif 000021
【図２１】
0004739629.tif 000022
【図２２】
0004739629.tif 000023
【図２３】
0004739629.tif 000024
【図２４】
0004739629.tif 000025